(57)【要約】【課題】塗布体を、塗布する対象物に押し当てることによって、内容物を一定量導出する定量供給装置において、容器を反転あるいは傾倒させることなく、一定量の液体を塗布することができる定量供給装置を提供する。【解決手段】定量供給装置１は、軸筒本体２の前端部に設けられた先軸３と、先軸３に対して進退すると共に、先端に内容物を吐出する吐出口が形成された塗布体４と、ピストン１０を軸筒本体の後端部側に移動させ、前記内容物を一定量吐出する吐出機構部９，１０と、塗布体４が押圧動作を、前記吐出機構部に伝達する押圧動作伝達部６，７，８と、を備え、塗布体４が先軸３から突出した状態において塗布体４の押圧動作が許容され、塗布体４が先軸３内に収容されることによって、塗布体４の押圧操作が禁止され、押圧動作伝達部が動作せず、吐出機構部９，１０が動作しない。【選択図】図１
2016220720.tif 000002
【特許請求の範囲】
【請求項１】
軸筒本体内に内容物が収容され、前記軸筒本体内のピストンを軸筒本体の後端部方向に移動させることにより、前記内容物を一定量供給する定量供給装置であって、
前記軸筒本体の前端部に設けられた先軸と、
前記先軸に対して進退すると共に、先端に内容物を吐出する吐出口が形成された塗布体と、
前記ピストンを軸筒本体の後端部側に移動させ、前記内容物を一定量吐出する吐出機構部と、
前記塗布体が押圧動作を、前記吐出機構部に伝達する押圧動作伝達部と、を備え、
前記塗布体が先軸から突出した状態において前記塗布体の押圧動作が許容され、前記塗布体の押圧動作が、前記押圧動作伝達部により前記吐出機構部に伝達され、内容物を一定量吐出し、
かつ、前記塗布体が先軸内に収容されることによって、前記塗布体の押圧操作が禁止され、前記押圧動作伝達部が動作せず、吐出機構部が動作しないことを特徴とする定量供給装置。
【請求項２】
前記押圧動作伝達部は、
前記塗布体の後端部が係止されると共に、外周面に雄ネジ部が形成されたネジ棒と、
前記ネジ棒の雄ネジ部と螺合する雌ネジ部を有し、前記ネジ棒に回転を付与する回転付与子と、
前記先軸の端面に一端部が接し、他端部が前記回転付与子に接するスプリングと、
前記軸筒本体に固定された雌ネジ部材と、を備え、
前記吐出機構部は、
前記ネジ棒と一体に回転し、ネジ棒に対し軸筒本体の軸線方向に移動可能な、外周面に前記軸筒本体の雌ネジ部材と螺合するネジ部が形成されたピストン棒と、
前記ピストン棒に取り付けられたピストンと、を備え、
前記塗布体が押圧され、前記ネジ棒が軸筒本体の後端部側に移動することにより、前記回転付与子によって前記ネジ棒及びピストン棒は回転しながら軸筒本体の後端部側に移動し、前記塗布体の先端部が先軸内に収容されるまで内容物を吐出し、
かつ、前記塗布体の先端部が先軸内に収容されることにより吐出が終了し、前記ネジ棒及びピストン棒は吐出動作終了後の状態が維持されることを特徴とする請求項１記載の定量供給装置。
【請求項３】
前記軸筒本体の先端部に取付けられ、前記内容物を吐出する塗布体を覆うキャップと、
前記軸筒本体の先端部に前記キャップを装着することによって、前記先軸内に収容された塗布体を、前記塗布体が先軸の先端から突出する方向に移動させ、内容物を吐出する吐出状態となすリセット部と、を備え、
前記リセット部によって、前記塗布体が内容物を吐出する吐出状態となされる際、前記吐出機構部のピストンの位置が、内容物を一定量吐出した後の位置に維持されることを特徴とする請求項２記載の定量供給装置。
【請求項４】
前記押圧動作伝達部は、
前記塗布体の後端部が係止されると共に、外周面に雄ネジ部が形成されたネジ棒と、
前記ネジ棒の雄ネジ部と螺合する雌ネジ部を有し、前記ネジ棒に回転を付与する回転付与子と、
前記先軸の端面に一端部が接し、他端部が前記回転付与子に接するスプリングと、
前記軸筒本体に固定された雌ネジ部材と、を備え、
前記吐出機構部は、
前記ネジ棒と一体に回転し、ネジ棒に対し軸筒本体の軸線方向に移動可能な、外周面に前記軸筒本体の雌ネジ部材と螺合するネジ部が形成されたピストン棒と、
前記ピストン棒に取り付けられたピストンと、を備え、
前記リセット部は、
前記塗布体に設けられた第１のラックと、
前記先軸内を摺動する第２のラックと、
前記第１のラックと第２のラックに噛合する歯車と、
前記キャップに設けられ、前記第２のラックを先軸後方に移動させるリセットバーと、
前記先軸に設けられた、前記リセットバーが挿入され、第２のラックに当接するための貫通穴と、を備え、
前記軸筒本体の先端部に前記キャップを装着することにより、前記キャップのリセットバーが第２のラックに当接し、前記第２のラックを先軸内部に後退させると共に、前記第２のラックに噛合する歯車によって前記第１のラックを前進させ、
前記塗布体が先軸の先端から突出した、内容物を吐出する吐出状態となすことを特徴とする請求項３記載の定量供給装置。
【請求項５】
更に、リード角が４５度以上に形成された、前記ネジ棒のネジ部と、
リード角が４５度以上に形成された、前記回転付与子のネジ部と、
前記軸筒本体の内周面に形成された、前記回転付与子の回転を規制する回転規制突起と、
前記回転規制突起に係止される、前記回転付与子の外周面に設けられた係止突起と、を備え、
前記塗布体が押圧され、前記ネジ棒が軸筒本体の後端部側に移動する際、
前記回転付与子の係止突起が回転規制突起に係止されることにより、前記回転付与子が軸筒本体に対して回転規制され、前記回転付与子によって前記ネジ棒及びピストン棒は回転しながら軸筒本体の後端部側に移動し、
一方、前記リセットバーを先軸内に侵入させ、前記塗布体が先軸の先端から突出する方向に移動し、前記ネジ棒の一端部が前記先軸に接する位置まで戻される際、
前記ネジ棒によって、前記回転付与子は前記スプリングの反発力に抗して軸筒本体前方に移動し、前記回転付与子の係止突起が回転規制突起の係止から解放され、前記解放により前記回転付与子がネジ棒に対して回転し、前記ネジ棒の一端部が前記先軸に接する位置まで戻されることを特徴とする請求項４記載の定量供給装置。
【発明の詳細な説明】
【技術分野】
【０００１】
本発明は定量供給装置に関し、特に、装置内に収容した内容物を所定量吐出した後は、吐出が制限される定量供給装置に関する。
【背景技術】
【０００２】
本出願人は、先に、容器内に収容された内容物を定量吐出するノック式繰出容器を提案している（特許文献１）。また同様に、高粘度の内容物を繰出す際に、ノック力の損失を防ぎつつ操作感を更に軽くしたノック式塗布具を提案している（特許文献２）。
これら特許文献１，２に示されたノック式繰出容器、ノック式塗布具にあっては、本体の後端部に設けられた天冠あるいは繰出体を押圧することにより、本体内部の塗布液収容部を押圧し、本体の先端部に穂首、塗布体に塗布液を供給するものである。
【０００３】
これら塗布具に合っては、前記したように、本体の後端部に設けられた天冠あるいは繰出体をノックすることにより、内容物を一定量繰出すことができる。
しかしながら、本体の先端部の穂首、塗布体を、塗布する対象物に押し当てることによって、内容物を一定量導出するものでない。そのため、頭髪に塗布する育毛剤のような薬液等を塗布する塗布具のように、対象物に押当てた状態で、内容物を一定量導出するものには適さないという問題があった。
【０００４】
かかる問題を解決するものとして、特許文献３，４に示される定量塗布容器が提案されている。
これら定量塗布容器にあっては、容器そのものを反転あるいは傾倒させることにより、薬液などの液体を液体収容部から計量室内に供給口を介して導入し、本体先端の塗布部を塗布すべき対象物に押し当てることにより、前記供給口が閉じられ、前記計量室と容器本体側とを遮断する。そして、前記塗布部が塗布すべき対象物に押し当てられることにより、塗布部の弁体が開き、塗布すべき対象物に対して、薬液などの液体が導出、塗布される。
【先行技術文献】
【特許文献】
【０００５】
【特許文献１】特開２００９−２５４４１９公報
【特許文献２】特開２０１１−１９４８２０公報
【特許文献３】特許第４８４２０６９公報
【特許文献４】特許第４７５３２３３公報
【発明の概要】
【発明が解決しようとする課題】
【０００６】
ところで、前記した特許文献３，４に示された定量塗布容器にあっては、容器そのものを反転あるいは傾倒させることにより、薬液などの液体が液体収容部から計量室内に導入されるように形成されているため、容器を確実に反転あるいは傾倒しない場合には、計量室内に薬液を十分に供給できず、定量塗布ができないという技術的課題があった。
また、塗布する際には、容器を反転あるいは傾倒させ、液体を液体収容部から計量室内に導入する工程（動作）を経た後でなければ、対象物に塗布することができず、キャップを取り外した後、直ちに塗布することができないという技術的課題があった。
【０００７】
更に、前記したように、塗布部の弁体が開き、塗布すべき対象物に対して、薬液などの液体が導出されるように構成されているため、粘性の高い液体の塗布には適さないという技術的課題があった。
【０００８】
本発明は、上記技術的課題を解決するためになされたものであり、塗布体を、塗布する対象物に押し当てることによって、内容物を一定量導出する定量供給装置において、容器を反転あるいは傾倒させることなく、一定量の内容物を供給でき、対象物に対して塗布することができる定量供給装置を提供することを目的とする。
【課題を解決するための手段】
【０００９】
本発明にかかる定量供給装置は、軸筒本体内に内容物が収容され、前記軸筒本体内のピストンを軸筒本体の後端部方向に移動させることにより、前記内容物を一定量供給する定量供給装置であって、前記軸筒本体の前端部に設けられた先軸と、前記先軸に対して進退すると共に、先端に内容物を吐出する吐出口が形成された塗布体と、前記ピストンを軸筒本体の後端部側に移動させ、前記内容物を一定量吐出する吐出機構部と、前記塗布体が押圧動作を、前記吐出機構部に伝達する押圧動作伝達部と、を備え、前記塗布体が先軸から突出した状態において前記塗布体の押圧動作が許容され、前記塗布体の押圧動作が、前記押圧動作伝達部により前記吐出機構部に伝達され、内容物を一定量吐出し、かつ、前記塗布体が先軸内に収容されることによって、前記塗布体の押圧操作が禁止され、前記押圧動作伝達部が動作せず、吐出機構部が動作しないことを特徴としている。
【００１０】
このように、塗布体が押圧されることにより、ピストンを軸筒本体の後端部側に移動させ、前記内容物を一定量吐出する吐出機構部を備えているため、塗布体が先軸から突出した状態において、塗布体の押圧動作が前記吐出機構部に伝達され、吐出機構部によって内容物を一定量吐出する。そして、塗布体が先軸内に収容されることによって、前記塗布体の押圧操作が禁止されるため、前記押圧動作伝達部、吐出機構部は動作しない。
したがって、塗布体から所定量の内容物を吐出した後は、内容物を吐出することはなく、１回の塗布（吐出）量が規定されている内容物を、的確に供給（塗布）することができる。
【００１１】
具体的には、前記押圧動作伝達部は、前記塗布体の後端部が係止されると共に、外周面に雄ネジ部が形成されたネジ棒と、前記ネジ棒の雄ネジ部と螺合する雌ネジ部を有し、前記ネジ棒に回転を付与する回転付与子と、前記先軸の端面に一端部が接し、他端部が前記回転付与子に接するスプリングと、前記軸筒本体に固定された雌ネジ部材と、を備え、前記吐出機構部は、前記ネジ棒と一体に回転し、ネジ棒に対し軸筒本体の軸線方向に移動可能な、外周面に前記軸筒本体の雌ネジ部材と螺合するネジ部が形成されたピストン棒と、前記ピストン棒に取り付けられたピストンと、を備え、前記塗布体が押圧され、前記ネジ棒が軸筒本体の後端部側に移動することにより、前記回転付与子によって前記ネジ棒及びピストン棒は回転しながら軸筒本体の後端部側に移動し、前記塗布体の先端部が先軸内に収容されるまで内容物を吐出し、かつ、前記塗布体の先端部が先軸内に収容されることにより吐出が終了し、前記ネジ棒及びピストン棒は吐出動作終了後の状態が維持されることが望ましい。
【００１２】
また、更に、前記軸筒本体の先端部に取付けられ、前記内容物を吐出する塗布体を覆うキャップと、前記軸筒本体の先端部に前記キャップを装着することによって、前記先軸内に収容された塗布体を、前記塗布体が先軸の先端から突出する方向に移動させ、内容物を吐出する吐出状態となすリセット部と、を備え、前記リセット部によって、前記塗布体が内容物を吐出する吐出状態となされる際、前記吐出機構部のピストンの位置が、内容物を一定量吐出した後の位置に維持されることが望ましい。
【００１３】
このように、前記リセット部の動作によって、塗布体を先軸の先端から突出した、内容物吐出状態となすことができるため、再び塗布体を押し込むことにより、所定量の内容物を吐出することができる。
このとき、吐出機構部のピストンの位置が、内容物を一定量吐出した後の位置に維持されるため、軸筒本体内に複数回分の内容物を収容した場合には、複数回に分けて使用することができる。
【００１４】
具体的には、前記押圧動作伝達部は、前記塗布体の後端部が係止されると共に、外周面に雄ネジ部が形成されたネジ棒と、前記ネジ棒の雄ネジ部と螺合する雌ネジ部を有し、前記ネジ棒に回転を付与する回転付与子と、前記先軸の端面に一端部が接し、他端部が前記回転付与子に接するスプリングと、前記軸筒本体に固定された雌ネジ部材と、を備え、前記吐出機構部は、前記ネジ棒と一体に回転し、ネジ棒に対し軸筒本体の軸線方向に移動可能な、外周面に前記軸筒本体の雌ネジ部材と螺合するネジ部が形成されたピストン棒と、前記ピストン棒に取り付けられたピストンと、を備え、前記リセット部は、前記塗布体に設けられた第１のラックと、前記先軸内を摺動する第２のラックと、前記第１のラックと第２のラックに噛合する歯車と、前記キャップに設けられ、前記第２のラックを先軸後方に移動させるリセットバーと、前記先軸に設けられた、前記リセットバーが挿入され、第２のラックに当接するための貫通穴と、を備え、前記軸筒本体の先端部に前記キャップを装着することにより、前記キャップのリセットバーが第２のラックに当接し、前記第２のラックを先軸内部に後退させると共に、前記第２のラックに噛合する歯車によって前記第１のラックを前進させ、前記塗布体が先軸の先端から突出した、内容物を吐出する吐出状態となすことが望ましい。
【００１５】
更に、リード角が４５度以上に形成された、前記ネジ棒のネジ部と、リード角が４５度以上に形成された、前記回転付与子のネジ部と、前記軸筒本体の内周面に形成された、前記回転付与子の回転を規制する回転規制突起と、前記回転規制突起に係止される、前記回転付与子の外周面に設けられた係止突起と、を備え、前記塗布体が押圧され、前記ネジ棒が軸筒本体の後端部側に移動する際、前記回転付与子の係止突起が回転規制突起に係止されることにより、前記回転付与子が軸筒本体に対して回転規制され、前記回転付与子によって前記ネジ棒及びピストン棒は回転しながら軸筒本体の後端部側に移動し、一方、前記リセットバーを先軸内に侵入させ、前記塗布体が先軸の先端から突出する方向に移動し、前記ネジ棒の一端部が前記先軸に接する位置まで戻される際、前記ネジ棒によって、前記回転付与子は前記スプリングの反発力に抗して軸筒本体前方に移動し、前記回転付与子の係止突起が回転規制突起の係止から解放され、前記解放により前記回転付与子がネジ棒に対して回転し、前記ネジ棒の一端部が前記先軸に接する位置まで戻されることが望ましい。
【発明の効果】
【００１６】
本発明によれば、塗布体を、塗布する対象物に押し当てることによって、内容物を一定量導出する定量供給装置において、容器を反転あるいは傾倒させることなく、一定量の内容物を供給でき、対象物に対して塗布することができる定量供給装置を得ることができる。
【図面の簡単な説明】
【００１７】
【図１】図１は、本発明にかかる定量供給装置の一実施形態を示す一部断面で示した斜視図である。
【図２】図２は、図１で示した一実施形態を示す断面図であって、（ａ）は軸筒本体の軸線と平行な断面図、（ｂ）は（ａ）のＩ−Ｉ断面図である。
【図３】図３は、図２（ａ）の断面図と９０度異なる方向から見た軸筒本体の軸線と平行な断面図である。
【図４】図４は、図１に示す軸筒本体を示す図であって、（ａ）は斜視図、（ｂ）は断面図、（ｃ）は（ｂ）のＩＩ−ＩＩ断面図である。
【図５】図５は、図１に示す塗布体を示す図であって、（ａ）は斜視図、（ｂ）は正面図、（ｃ）は断面図である。
【図６】図６は、図１に示すネジ棒を示す図であって、（ａ）は斜視図、（ｂ）は正面図、（ｃ）は側面図である。
【図７】図７は、図１に示す回転付与子を示す図であって、（ａ）は斜視図、（ｂ）は断面図である。
【図８】図８は、ピストン棒を示す斜視図である。
【図９】図９は、図１に示す雌ネジ部材を示す図であって、（ａ）は後端部側からみた斜視図、（ｂ）は先端部側からみた斜視図、（ｃ）は断面図である。
【図１０】図１０は、図１に示すピストンを示す図であって、（ａ）は取り付け部側からみた斜視図、（ｂ）は導入口側からみた斜視図、（ｃ）は断面図である。
【図１１】図１１は、先軸の第１の本体を示す図であって、（ａ）は先端部側からみた斜視図、（ｂ）は後端部側からみた斜視図、（ｃ）は断面図である。
【図１２】図１２は、先軸の第２の本体を示す図であって、（ａ）は斜視図、（ｂ）は正面図、（ｃ）は底部側からみた斜視図である。
【図１３】図１３は、リセット部を構成する歯車の斜視図である。
【図１４】図１４は、リセット部を構成する第２のラックを示す斜視図である。
【図１５】図１５は、キャップを示す図であって、（ａ）は正面図、（ｂ）は側面図、（ｃ）は断面図、（ｄ）は（ｃ）と９０度異なる方向からみた断面図である。
【図１６】図１６は、一実施形態の動作を説明するための図であって、（ａ）は動作開始前の斜視図、（ｂ）は（ａ）の断面図である。
【図１７】図１７は、一実施形態の動作を説明するための図であって、（ａ）は動作終了後の斜視図、（ｂ）は（ａ）の断面図である。
【図１８】図１８は、本発明にかかる定量供給装置の他の実施形態を示す斜視図である。
【発明を実施するための形態】
【００１８】
以下、本発明にかかる定量供給装置の一実施形態について、図１乃至図１７に基づいて説明する。
図１、図２、図３に示すように、符号１は定量供給装置であって、内部に内容物を収容する内容物収容部２ａを後部に有する軸筒本体２と、前記軸筒本体２の先端部に設けられた先軸３と、前記先軸３を挿通し、進退可能に構成された、内容物を吐出する吐出口４ｂを有する塗布体４と、前記塗布体４の吐出口４ｂを覆い、前記軸筒本体２の前端部に着脱自在に取付けられるキャップ５とを備えている。
【００１９】
このキャップ５は、先軸３内に収納された前記塗布体４を前記先軸３から前進、突出させ、再び内容物を吐出できる状態になすものである。
即ち、前記先軸３から前方に突出した塗布体４を塗布対象物に押し当て、前記塗布体４を先軸３内に後退させながら内容物を吐出し、先軸３内に後退、収納された前記塗布体４を、キャップ４を軸筒本体２に装着することにより、前記先軸３から前進、突出させ、再び内容物を吐出できる状態になすものである。
また、前記内容物は液体、半固体状物であれば良く、また、この定量供給装置の用途は、特に限定されるものではないが、例えば、化粧品塗布具、薬液塗布具、靴墨塗布具等として用いることができる。
【００２０】
前記定量供給装置１の軸筒本体２の内部には、図２（ａ）に示すように、前記塗布体４の後端部が係止されるネジ棒６が設けられている。このネジ棒６は、前記塗布体４が押圧され、後退することにより、回転しながら軸筒本体２の後端部側に移動するように構成されている。このネジ棒６は、軸筒本体２に固定された回転付与子７によって回転が付与され、回転しながら軸筒本体２の後端部側に移動する。
尚、この実施形態の説明において、キャップ５が装着される側を軸筒本体２の先端部側（あるいは先端部）といい、その反対側を軸筒本体２の後端部側（あるいは後端部）という。
【００２１】
また、軸筒本体２の内部には、前記先軸３の後端部に一端部が接し、他端部が前記回転付与子７に接するスプリング８が設けられている。このスプリング８は前記回転付与子７を軸筒本体２の後端部側に付勢している。
【００２２】
また、前記ネジ棒６の内部、及び塗布体４の内部には、進退可能に設けられたピストン棒９が設けられている。このピストン棒９の内部には、軸線方向に貫通し、内容物が流通可能な貫通穴９ｃが形成されている。
また、このピストン棒９はネジ棒６と共に回転し、またネジ棒６に対して前後方向に摺動可能に構成されている。
【００２３】
また、前記ピストン棒９の先端部には、シリコンゴム等の弾性体からなるピストン１０が設けられている。このピストン１０の中央部には、内容物を導出する導出口１０ａが設けられ、この導出口１０ａは、前記貫通穴９ｃの連通し、前記吐出口４ｂに連通している。
したがって、前記ピストン１０が、内容物収容部２ａ内を摺動することにより、タンク部２ａの内容物は、導出口１０ａ、貫通穴９ｃを介して、吐出口４ｂから導出される。
【００２４】
更に、前記軸筒本体２の内周面には、前記ピストン棒９の外周面に形成された雄ネジ部９ａと螺合する雌ネジ部材１１が固定されている。
したがって、前記ピストン棒９がネジ棒６の回転によって回転すると、前記ピストン棒９は、雄ネジ部９ａと雌ネジ部材１１との螺合によって、後方に移動する。そして、前記ピストン１０が摺動し、内容物収容部２ａの内容物が吐出口４ａから導出される。
【００２５】
更に、先軸３内に後退、収納された前記塗布体４を、キャップ５を軸筒本体２に装着することにより、前記先軸３から前進、突出させ、再び内容物を吐出できる状態になすリセット部１２が設けられている。
このリセット部１２は、塗布体４に設けられた第１のラック１２ａと、先軸３に設けられた第２のラック１２ｂと、回転軸１２ｄが先軸３に設けられ、前記第１のラック１２ａと第２のラック１２ｂに噛合する歯車１２ｃと、キャップ５に設けられ、前記第２のラック１２ｂに当接し、先軸３の内部に押し込むリセットバー１２ｅとを備えている。
【００２６】
したがって、キャップ４を軸筒本体２に装着することにより、前方に位置する先軸３側の第２のラック１２ｂをリセットバー１２ｅで後方に押すことにより、第１のラック１２ａを備える塗布体１２ａを前進させ、塗布体４を先軸３から突出させ、再び内容物を吐出できる状態（復帰状態）になすことができる。
【００２７】
更に、前記定量供給装置１を構成する各部材について詳しく説明する。
まず、軸筒本体２について図４に基づいて説明する。
この軸筒本体２は、軸筒本体２の後部に設けられた、内容物が収容される内容物収容部２ａと、前記内容物収容部２ａの前方に設けられた、雌ネジ部材１１が取付け、固定される凹部２ｂと、前記凹部２ｂの前方側に設けられ、先端方向へ延設され凹凸部２ｃと、を備えている。
この凹凸部２ｃにおける凸部は、図４（ｃ）に示すように、斜面部２ｃ１と垂直面部２ｃ２を備えている。この凹凸部２ｃと、ネジ棒６の先端部に設けられた爪部６ｃ（図６参照）によって、いわゆるラチェット機構が形成される。その結果、前記ネジ棒６は軸筒本体２内で一方向のみ回転する。
【００２８】
更に、前記凹凸部２ｃの前方には、軸筒本体２に対する前記回転付与子７の回転を規制する回転規制突起２ｄが設けられている。この回転規制突起２ｄは、軸筒本体２の内周面から内方に突出し、軸筒本体２の軸線と平行に延設けられている。
そのため、前記回転付与子７の係止突起７ｃ（図７参照）が、回転規制突起２ｄに係止されることにより、回転付与子６の回転は規制される。尚、前記回転付与子７の鍔部７ｂ（図７参照）が、前記回転規制突起２ｄの先端部に当接し、前記前記回転付与子７の後方への移動は阻止される。
したがって、前記回転付与子７が軸線と平行に前方に移動し、前記回転付与子７の係止突起７ｃが回転規制突起２ｄとの係合から解放させると、回転付与子７は、軸筒本体２に対して、回転可能な状態となる。
【００２９】
また、前記軸筒本体２の前端部の外周面には凸状の係止部２ｅが形成され、軸筒本体２に装着されたキャップ５が係止されるように構成されている。
【００３０】
次に、塗布体４について図５に基づいて説明する。
塗布体４は、先軸３から突出した状態から、先軸３内に徐々に後退しながら内容物を吐出する塗布部として機能する。
この塗布体４は円筒状に形成され、内部に内容物が流通する貫通穴４ａ１を有する本体部４ａと、前記本体部４ａの先端部に設けられた吐出口４ｂとを備えている。また、この塗布体４ｂの後端部には、ネジ棒６の先端部に係止するための係止爪部４ｃが形成されている。
更に、前記本体部４ａの外周面には、前記外周面から突出して、リセット部１２の一部を構成する第１のラック１２ａが本体部４ａの軸線と平行に形成されている。
【００３１】
次に、ネジ棒６について図６に基づいて説明する。
ネジ棒６は円筒状に形成され、その外周面には回転付与子７の雌ネジ部１１ｅ（図７参照）と螺合する雄ネジ部６ａが形成されている。この雄ネジ部６ａのリード角θは４５度以上に形成されている。
尚、リード角は４５度を下回る場合には、ネジ棒６を前方に移動させ際、回転付与子７を回転させることができず、吐出可能状態に復帰させることができない。
【００３２】
また、このネジ棒６の前方部の外周面には、前記塗布体４の係止爪部４ｃ（図５参照）が係止される一対の開口部６ａが形成されている（図６においては、一方の開口部６ａを図示）。この一対の開口部６ａは相対向する位置に設けられている。
また、このネジ棒６の後方側には、前記軸筒本体２の凹凸部２ｃと係合し、いわゆるラチェット機構を構成する爪部６ｃが形成されている。この爪部６ｃは、軸筒本体２の外周面から外方に延設された舌状部６ｄの先端部に形成されている。
【００３３】
そのため、ネジ棒６が軸筒本体２に対して一方向に回転する際には、前記爪部６ｃの斜面部６ｃ１と凹凸部２ｃの斜面部２ｃ１が接し、前記舌状部６ｃが変形することで、ネジ棒６は回転が許容される。
一方、ネジ棒６が軸筒本体２に対して他方向に回転する際には、前記爪部６ｃの垂直部６ｃ２と凹凸部２ｃの垂直面部２ｃ２が接し、前記舌状部６ｃが変形しないため、ネジ棒６は回転しない。
【００３４】
また、ネジ棒６の後端部の内周面には、ピストン棒９とネジ棒６の相対的な回転を規制する回り止め部６ｅが形成されている。この回り止め部６ｅは、貫通穴６ｆ内に平面状部を突出して形成し、貫通穴６ｆに円弧状部６ｅ１と平面部６ｅ２と形成したものである。
この回り止め部６ｅによって、前記ピストン棒９はネジ棒６に対して回転することなく、軸線方向に移動可能に取り付けられる。
【００３５】
また、このネジ棒６の一端面は先軸３の端面と接し、塗布体４による内容物の吐出がなされるにつれて、ネジ棒６は回転付与子７によって回転しながら、軸筒本体２の後方へ移動するように構成されている。
【００３６】
次に、回転付与子７について図７に基づいて説明する。
回転付与子７は円筒状に形成され円筒部７ａと前記円筒部６ａの略中央部に外方に延設された鍔部７ｂが設けられている。
また、前記円筒部７ａの外周面であって、前記鍔部６ｂの後端側には、前記軸筒本体２の回転規制突起２ｄに係止される係止突起７ｃが設けられている。この係止突起７ｃが回転規制突起２ｄに係止されることにより、回転付与子７は前記軸筒本体２に対して、回転しないように取り付けられる。
【００３７】
また、前記回転付与子７の円筒部７ａの内周面には、雌ネジ部７ｄが形成されている。この雌ネジ部７ｄは、ネジ棒６に形成された雄ネジ部６ａと螺合することによって、軸筒本体２の後端側に移動するネジ棒６に回転を付与する。
尚、雌ネジ部７ｄは、雄ネジ部６ａと同一のリード角で形成されている。即ち、雌ネジ部７ｄのリード角は４５度以上に形成されている。
【００３８】
次に、スプリング８について説明する。
このスプリング８はコイルスプリングであって、図２、図３に示すように、一端が先軸３の端面に接し、他端は回転付与子７の一面に接している。そして、このスプリング８の反発力によって、回転付与子７の係止突起７ｃが軸筒本体２の回転規制突起２ｄに係止され、回転付与子７が回転しないように固定される。
一方、回転付与子７がネジ棒６から軸筒本体前方向への力を受けると、回転付与子７は前記スプリング８を圧縮しながら軸筒本体前方向へ移動し、係止突起７ｃと軸筒本体２の回転規制突起２ｄとの係止が解かれ、回転付与子７が回転可能な状態になされる。
【００３９】
次に、ピストン棒９について図８に基づいて説明する。
ピストン棒９が、円柱状の雄ネジ部９ａと、雄ネジ部９ａの後端に形成された円柱状のピストン取付け部９ｂとを備えている。
また、このピストン棒９の雄ネジ部９ａは、相対向して形成された一対の平面部９ａ１と、前記平面部９ａ１間に形成されたネジ形成部９ａ２と、を備えている。
更に、図２に示すように、このピストン棒９には、軸線に平行に貫通穴９ｃが設けられている。
【００４０】
一方、ピストン棒９が挿入されるネジ棒６の後端部内周面には、前記したように、回り止め部６ｅが形成され、この回り止め部６ｅは円弧状部６ｅ１と平面部６ｅ２とを有している。そのため、ネジ棒６とピストン棒９は一体に回転するが、前記ピストン棒９はネジ棒６に対して前後方向に移動することができる。
また、前記雄ネジ部９ａは、前記軸筒本体２に固定された雌ネジ部材１１と螺合する。したがって、前記雄ネジ部９ａが回転することにより、前記雄ネジ部９ａは、軸筒本体２の雌ネジ部材１１によって後方へ回転しながら移動する。その結果、ピストン１０を後方に移動させ、内容物を吐出する。
【００４１】
次に、雌ネジ部材１１について図９に基づいて説明する。
この雌ネジ部１１は、筒状本体部１１ａと、前記筒状本体部１１ａの後端部に形成された鍔部１１ｂを有している。また前記鍔部１１ｂの外周面には、軸筒本体２の凹部２ｂに嵌合する突起１１ｃが形成されている。
この突起１１ｃが軸筒本体２の凹部２ｂに嵌合するため、雌ネジ部材１１は軸筒本体２に回転することなく、かつ軸筒本体２の軸線方向に移動することなく、固定される。
尚、前記突起１１ｃに対応する鍔部１１ｂには、隙間部１１ｄが形成されている。この隙間部１１ｄによって、前記突起１１ｃが鍔部１１ｂの内側方向に変形し、軸筒本体２内に挿入し、しかも容易に移動でき、容易に装着することができる。
【００４２】
また、この雌ネジ部材１１の後端部内周面には、ピストン棒９の雄ネジ部９ａと螺合する雌ネジ部１１ｅが形成されている。
したがって、前記したように、ピストン棒９が回転することにより、この雌ネジ部材１１の雌ネジ部１１ｅによって、前記ピストン棒９は軸筒本体部２（内容物収容部２ａ）後方側へ移動する。
【００４３】
次に、ピストン１０について図１０に基づいて説明する。
このピストン１０は円板状に形成され、その外周面は軸筒本体２の内容物収容部２ａの内周面に接し、ピストン１０の中央部分にはピストン棒９を取り付ける取付け部１０ｂが設けられている。
また、このピストン１０の中心部には、内容物を導出する導出口１０ａが形成されている。この導出口１０ａはピストン棒９の貫通穴９ｃと連通している。
したがって、ピストン１０がピストン棒９によって軸筒本体部２（内容物収容部２ａ）後方側へ移動することにより、内容物収容部２ａ内の内容物は、前記導出口１０ａから導出され、塗布体４の吐出口４ｂから外部に吐出される。
【００４４】
次に、先軸３について図１１、図１２に基づいて説明する。
先軸３は、図１１に示すように、塗布体４が進退する進退口３Ａ１及びリセットバー１２ｅが挿入されるリセットバー挿入口３Ａ２を有する第１の本体３Ａと、図１２に示すように、第１の本体３Ａの後端部に一部が嵌合する、歯車１２ｃの回転軸１２ｄを有する第２の本体３Ｂとを備えている。
【００４５】
前記第１の本体３Ａには、第２のラック１２ｂが先軸３（軸筒本体２）の軸線方向に移動可能に形成された溝部３Ａ３が軸線に平行に形成されている。そして、前記溝部３Ａ３内に収容された第２のラック１２ｂは、前記リセットバー挿入口３Ａ２から挿入されたリセットバー１２ｅによって押し込まれ、後方に移動するように構成されている。
また、第１の本体３Ａの後端部には、第２の本体３Ｂの先端部が挿入され、第２の本体３Ｂの外周面と嵌合する周壁３Ａ４が形成されている。
【００４６】
一方、第２の本体３Ｂの先端側には嵌合部３Ｂ１が形成され、この嵌合部３Ｂ１の後端部には段部３Ｂ１が形成される。そして、第２の本体３Ｂが第１の本体３Ａに嵌合した際、第２の本体３Ｂの段部３Ｂ１が第１の本体３Ａの周壁３Ａ３の後端面が接することにより、位置規制されるように構成されている。
また、第２の本体３Ｂには、図１３に示すような平歯車等の歯車１２ｃの回転軸１２ｄが設けられている。
【００４７】
また、図１４に示すように、前記した第２のラック１２ｂは板状に形成され、その一面に塗布体４が摺動する円弧状部と、前記歯車１２ｃと噛合するラック部１２ｂ２が設けられている。
したがって、前記第２のラック１２ｂを溝部３Ａ２内に収容し、歯車１２ｃを取り付けた第２の本体３Ｂを第１の本体３Ａに嵌合し、更に塗布体４を先軸３内に挿入することにより、第１のラック１２ａと第２のラック１２ｂは歯車１２ｃを介して噛合する。
【００４８】
次に、キャップ部５について図１５に基づいて説明する。
前記キャップ部５は、有底円筒状の本体部５ａと、前記本体部５ａの底部５ａ１から開口部５ａ２に向けて立設された、塗布体先端を覆う覆い部５ｂと、前進した第２のラック１２ｂを後退させる、リセットバー１２ｅとを備えている。
前記リセットバー１２ｅは、一対の棒状に形成され、図１５（ｂ）に示すように、覆い部５ｂの後端部から更に開口部５ａ２に向けて立設されている。
前記リセットバー１２ｅは、前記キャップ部５を軸筒本体２の先端部に装着した際、先軸３に設けられたリセットバー挿入口３Ａ２から進入し、前方に位置する第２のラック１２ｂを後方に、押し込むことができるように構成されている。
【００４９】
次にリセット部１２について説明する。
リセット部１２は、第１のラック１２ａ、歯車１２、第２のラック１２ｂ、キャップ５に形成されたリセットバー１２ｅによって形成されている。
即ち、内容物を吐出しながら、塗布体４を対象物に押し付け、塗布体４を後方に移動させると、それに伴い、第１のラック１２ａが後退し、第２のラック１２ｂが前進する。
したがって、塗布体からの吐出が終了すると、第２のラック１２ｂが最も前進した位置に置かれる。そして、前記キャップ部５を軸筒本体２の先端部に装着すると、リセットバー１２ｅが、先軸３に設けられたリセットバー挿入口３Ａ２から進入し、前方に移動した第２のラック１２ｂを後方に押し込む。この第２のラック１２ｂの後方への移動に伴い、第１のラック１２ａ（塗布体４）が前進し、初期状態に復帰する。
【００５０】
次に、前記定量供給装置１の動作作用について、図１６乃至図１７に基づいて説明する。
まず、定量供給装置１からキャップ４を取り外すと、図１６に示すように、塗布体４は先軸３から突出した状態にあり、何ら操作を行うことなく、対象物に塗布体４を押し当てることにより、直ちに内容物を吐出することができる。
即ち、図１６（ａ）の矢印で示すように、塗布体４を対象物に押し当て、前記塗布体４を後方（先軸３内）へ移動させる。この塗布体４の移動によって、塗布体４と係止されているネジ棒６も、軸筒本体２の後端部方向（矢印）に移動する。
【００５１】
このとき、スプリング８力によって、前記回転付与子７は軸筒本体２の後端部方向への力を受け、前記回転付与子７の係止突起７ｃが、軸筒本体２の回転規制突起２ｄに係止された状態にある。そのため、前記回転付与子７は回転することなく、軸筒本体２に固定されている。
また、軸筒本体２の後端部方向に移動するネジ棒６は、ネジ棒６の雄ネジ部６ａと回転付与子７の雌ネジ部７ｄが螺合しているために、前記ネジ棒６は、一方向に回転しながら、軸筒本体２の後端部方向に移動する。
尚、舌状部６ｄの先端に形成された爪部６ｃが、軸筒本体２の凹凸部２ｃと係合しているため、前記ネジ棒６は、いわゆるクリック音を出しながら軸筒本体２の後端部方向に移動する。
【００５２】
また、前記ネジ棒６の貫通穴６ｆには、ピストン棒９が一体的に回転するように取り付けられている。また、ピストン棒９の雄ネジ部９ａは、軸筒本体２に固定された雌ネジ部材１１と螺合している。
そのため、前記ネジ棒６の回転移動の動作に伴って、ピストン棒９は雌ネジ部材１１と螺合し回転しながら、軸筒本体２の後端部方向に移動する。
このピストン棒９が軸筒本体２の後端部方向に移動することによって、ピストン１０も内容物収容部２ａ内を移動し、前記内容物収容部２ａからピストン１０の導出口１０ａ、ピストン棒９の貫通穴９ｃ、塗布体４の吐出口４ａから内容物が吐出される。
【００５３】
また、前記塗布体４には第１のラック１２ａが形成されており、第１のラック１２ａが先軸３の後方に移動することによって、前記第１のラック１２ａと噛合する第２のラック１２ｂは、先軸３の先端部方向（前方）に移動する。
【００５４】
そして、図１７に示すように、塗布体４が先軸３内に後退し、先軸３内に埋没すると、対象物に対して塗布体を押し当てることができないため、塗布体４の移動が停止し、所定量の内容物の吐出が終了する。
このとき、図１７（ｂ）に示すように、塗布体４からの吐出が終了すると、第２のラック１２ｂが最も前進した位置に置かれる。
この状態おいて、塗布体４を対象物に再度押し当てようとしても、塗布体４の先端部が先軸３から突出していないため、対象物に押し当てることができず、内容物は吐出されない。
【００５５】
その結果、使用者が、対象物に対して塗布体４を押し当て、所定量の内容物を吐出した後は、塗布体４を対象物に押し当て（塗布体４を移動させることができない）ため、内容物を吐出することがなく、所定量以上（塗布体４の先端部が先軸３内に後退し、先軸３内に埋没する際に、吐出する量以上）の内容物の吐出を防止できる。
【００５６】
前記した所定量の内容物の吐出終了後、使用者はキャップ５を軸筒本体２に装着する。
前記キャップ部５を軸筒本体２の先端部に装着すると、リセットバー１２ｅがリセットバー挿入口３Ａ２から進入し、図１７（ｂ）の矢印で示すように、前方に移動した第２のラック１２ｂを後方に押し込む。この第２のラック１２ｂの後方への移動に伴い、第２のラック１２ｂと歯車１２ｃを介して噛合している第１のラック１２ａ（塗布体４）が前進する。
【００５７】
また、前記塗布体４とネジ棒６は係止されているため、第１のラック１２ａ（塗布体４）の前進に伴い、ネジ棒６も前進する。このとき、ネジ棒６と回転付与子７は螺合しているが、リード角が４５度以上に形成されているため、ネジ棒６の移動によりスプリング８を圧縮しながら、回転付与子７も前方に移動する。
そして、前記回転付与子７の係止突起７ｃと軸筒本体２の回転規制突起２ｄとの係合が解除されると、前記回転付与子７は回転し、ネジ棒６は、図１６（ｂ）に示す先軸３の端面と接する初期状態の位置に復帰する。
【００５８】
一方、ピストン棒９は雄ネジ部９ａが雌ネジ部材１１の雌ネジ部１１ｅと螺合し、またピストン棒９はネジ棒６の軸筒本体２の軸線方向の移動に拘束されないため、ネジ棒６、回転付与子７が初期状態に復帰した後も、前進した状態（吐出が終了した状態）が維持される。
【００５９】
そして、再び、先軸３から突出した塗布体４の先端を対象物に押し当てることにより、前記した動作を繰り返す。即ち、キャップ４を取り外し、塗布体４の先端を対象物に押し当て、前記塗布体４を先軸３内に後退させ、所定量の内容物を吐出する。
このようにして、内容物収容部２ａ内の内容物が終了するまで、上記動作を繰り返し、所定量の内容物を供給する。
【００６０】
尚、上記実施形態にあっては、リセットバー１２ｅが先軸３に設けられたリセットバー挿入口３Ａ２から進入し、前方に位置する第２のラック１２ｂを後方に押し込み、第１のラック１２ａ（塗布体４）を前進させ、塗布体４を初期状態（吐出可能状態）になしていた。
本発明は、特にこの構成に限定されるものではなく、図１８に示すように第２のラック１２ｂに、先軸２の周面の貫通溝３Ａ５から突出する突起２０を形成しても良い。
即ち、キャップ５を軸筒本体２に装着する際に、前記キャップ５によって前記突起２０を後方へ移動させるように構成しても良い。このように構成した場合には、前記キャップ５にリセットバー１２ｅを形成する必要がなく、前記キャップ５を安価に製作することができる。
【符号の説明】
【００６１】
１        定量供給装置
２        軸筒本体
２ａ      内容物収容部
２ｂ      凹部
２ｃ      凹凸部
２ｄ      回転規制突起
３        先軸
３Ａ      第１の本体
３Ａ１    進退口
３Ａ２    リセットバー挿入口
４        塗布体
４ｂ      吐出口
５        キャップ
６        ネジ棒（押圧動作伝達部）
６ａ      雄ネジ部
６ｅ      回り止め部
６ｆ      貫通穴
７        回転付与子（押圧動作伝達部）
７ａ      円筒部
７ｂ      鍔部
７ｃ      係止突起
７ｄ      雌ネジ部
８        スプリング（押圧動作伝達部）
９        ピストン棒（吐出機構部）
９ａ      雄ネジ部
９ａ１    平面部
９ａ２    ネジ形成部
９ｂ      ピストン取付け部
９ｃ      貫通穴
１０      ピストン（吐出機構部）
１１      雌ネジ部材（押圧動作伝達部）
１１ｃ    突起
１１ｅ    雌ネジ部
１２      リセット部
１２ａ    第１のラック
１２ｂ    第２のラック
１２ｃ    歯車
１２ｄ    回転軸
１２ｅ    リセットバー
【図１】
2016220720.tif 000003
【図２】
2016220720.tif 000004
【図３】
2016220720.tif 000005
【図４】
2016220720.tif 000006
【図５】
2016220720.tif 000007
【図６】
2016220720.tif 000008
【図７】
2016220720.tif 000009
【図８】
2016220720.tif 000010
【図９】
2016220720.tif 000011
【図１０】
2016220720.tif 000012
【図１１】
2016220720.tif 000013
【図１２】
2016220720.tif 000014
【図１３】
2016220720.tif 000015
【図１４】
2016220720.tif 000016
【図１５】
2016220720.tif 000017
【図１６】
2016220720.tif 000018
【図１７】
2016220720.tif 000019
【図１８】
2016220720.tif 000020